(57)【要約】【課題】本発明は長期間にわたってスライドレールの外部にゴミが入り込むことがなく、メンテナンス性に優た収納ボックスを提供するにある。【解決手段】天板部５の前縁下面にガイド溝６が凹設されている壁面埋込設置型収納ボックス本体１と、前記収納ボックス本体１の前面開口部にスライド自在に配設され、その上端面に設けられ、前記ガイド溝６にスライド可能に挿入されたガイド突起７を有するスライド扉２と、スライド扉２の裏面下部と収納ボックス本体１の底板部３の前縁下方との間に設置され、その固定側レール４ａのほぼ全面が固定側カバープレート４１にて覆われると共に前記固定側カバープレート４１を介して収納ボックス本体１の底板部３に取着され、そのスライド側レール４ｂのほぼ全面がスライド側カバープレート６１にて覆われると共に前記スライド側カバープレート６１を介してスライド扉２の裏面下部に取着されているスライドレール４とで構成されたことを特徴とする。【選択図】          図４
2004316351.tif 000002
【特許請求の範囲】
【請求項１】
（ａ）    天板部の前縁下面にガイド溝が凹設されている壁面埋め込み設置型の収納ボックス本体と、
（ｂ）    前記収納ボックス本体の前面開口部にスライド自在に配設され、その上端面に設けられ、前記ガイド溝にスライド可能に挿入されたガイド突起を有するスライド扉と、
（ｃ）    スライド扉の裏面下部と収納ボックス本体の底板部の前縁下方との間に設置され、その固定側のほぼ全面が固定側カバープレートにて覆われると共に固定側カバープレートを介して収納ボックス本体の底板部に取着され、その移動側のほぼ全面がスライド側カバープレートにて覆われると共にスライド側カバープレートを介してスライド扉の裏面下部に取着されているスライドレールとで構成されたことを特徴とする収納ボックス。
【請求項２】
請求項１における断面略長方形のスライドレールが縦長に設置されている事を特徴とする収納ボックス。
【請求項３】
請求項１又は２におけるスライド扉の開方向端部に上端から下端にほぼ達する断面凹溝状の引き手が設けられている事を特徴とする収納ボックス。
【発明の詳細な説明】
【０００１】
【発明の属する技術分野】
本発明は壁面埋込型収納ボックスにおけるスライド扉を、収納ボックス本体の前面開口部を実質的に閉じた状態から前面開口部をほぼ全面的に開放する開閉操作を自在に行い得るようにして収納ボックスからの出し入れ作業を容易にし得ると共にスライド扉の開閉に用いられるスライドレールが前面側から見えないようにし且つスライドレールのスライド機構にゴミ等の異物が入らないようにした収納ボックスに関するものである。
【０００２】
【従来の技術】
従来の収納ボックスの扉についてはヒンジを介して前方に開放する開閉扉タイプ（図示せず）と左右の方向にスライドするスライド扉タイプ（図１３，１４）のものがある。後者のスライドタイプのものについては、図１３，１４にあるように収納ボックス本体１００の開口部１０１が開閉自在になるように、スライド扉１０２の上端を収納ボックス本体１００の天板部１０６に取り付けたフルスライドのスライドレール１０５に吊持させ、スライド扉１０２の下端に取り付けた摺動体１１０を収納ボックス本体１００の底板部１０８の下面に設けたスライダ溝１０９にスライド自在に嵌め込んだものが知られている［特開２００２−２４２５１６］。
【０００３】
この方法を簡単に説明すると、スライド扉１０２の裏面側にネジのような止具によりブラケット１０３が固定され、その横板部１０４にスライドレール１０５が固定されている。そしてこのスライドレール１０５は収納ボックス本体１００の天板部１０６に固設したレールカバー１０７に取着されている。
【０００４】
一方、前記スライダ溝１０９には前記摺動体１１０が所定寸法だけ遊動自在となるように係嵌される共にそのストッパー用凸部１１１が衝当自在となるようにスライダ溝１０９に開扉側ストッパー１１２と閉扉側ストッパー１１３とが形成されている（図１４）。
【０００５】
この従来例にあっては、スライドレール１０５は収納ボックス本体１００の天板部１０６の上面にその上面が開放状態で取り付けられているためゴミが内部に付着し易くスライド性の保守に問題が生じるし、断面略長方形のスライドレール１０５を水平に取り付けているため、スライドレール１０５の水平幅が広くなってしまい、壁面より突出する寸法が大となり狭い場所では収納ボックス本体１００の設置が困難となる。また、前述のようにスライドレール１０５が収納ボックス本体１００の上面に設置されているので、収納ボックスの設置高さが決められている場合、その分、収納ボックスの天板部１０６の高さを低くする必要があり、そうすれば収納容積がそれだけ狭くなるという問題もある。
【０００６】
更に収納ボックス本体１００の底板部１０８の下面にスライド溝１０９が形成され、その中に摺動体１１０が位置しているために壁内に収納ボックスを埋め込んだ場合、床に近接するスライド溝１０９が低位置となり清掃性に問題がある。
【０００７】
【特許文献】特開２００２−２４２５１６
【０００８】
【発明が解決しようとする課題】
本発明はこれら従来のスライド扉が持つ欠点を解決するためになされたもので、スライドレールの外部にゴミが入り込むことがなく、メンテナンス性に優れ、更にスライドレールが取り付けの邪魔にならず、狭い場所でも収納ボックスの設置が可能であり、スライドレールが収納ボックスの収納容量を阻害するようなことがない収納ボックスを提供するにある。
【０００９】
【課題を解決するための手段】
「請求項１」に記載の収納ボックスは、
（ａ）    天板部５の前縁下面にガイド溝６が凹設されている壁面埋め込み設置型の収納ボックス本体１と、
（ｂ）    前記収納ボックス本体１の前面開口部にスライド自在に配設され、その上端面に設けられ、前記ガイド溝６にスライド可能に挿入されたガイド突起７を有するスライド扉２と、
（ｃ）    スライド扉２の裏面下部と収納ボックス本体１の底板部３の前縁下方との間に設置され、その固定側レール４ａのほぼ全面が固定側カバープレート４１にて覆われると共に前記固定側カバープレート４１を介して収納ボックス本体１の底板部３に取着され、そのスライド側レール４ｂのほぼ全面がスライド側カバープレート６１にて覆われると共に前記スライド側カバープレート６１を介してスライド扉２の裏面下部に取着されているスライドレール４とで構成されたことを特徴とする。
【００１０】
これにより、特に扉閉時、スライドレール４は底板部３の下方にて固定側及びスライド側カバープレート４１、６１にてそのほぼ全体が覆われるので、内部にごみが入らず、良好なスライド性が長期にわたって保たれる。
【００１１】
「請求項２」は「請求項１」のスライドレール４の取り付け方で「断面略長方形のスライドレール４を縦長に設置する」事を特徴とするもので、このようにすることにより、スライドレール４の強度を高めることが出来る。
【００１２】
「請求項３」は収納ボックスの引き手８に関し、「スライド扉２の開方向端部に上端から下端にほぼ達する断面凹溝状の引き手８が設けられている」事を特徴とするもので、これにより立った状態でも座った状態でも簡単にスライド扉２を開閉できる。
【００１３】
【発明の実施の形態】
以下、本発明を実施例に従って説明する。図１は本発明の実施例にかかる収納ボックスの扉の閉扉状態を示したものであり、１は収納ボックス本体、２は収納ボックス本体１の前面に位置するスライド扉、３は底板部、５は天板部、１０は適宜設けられている棚、１１は背面板、１２ａ、１２ｂは側面板で、収納ボックス本体１は壁内に組み込まれて使用されるためその奥行きは壁の厚さに合わせて作られており浅いものである。
【００１４】
図２は同上のスライド扉２の開扉状況のものである。図３はスライドレール４の細部とその取付状態を示しており、収納ボックス本体１の底板部３の前縁にスライドレール４の固定側レール４ａを取り付けるための固定側カバープレート４１の上部フランジ４２が固定されている。即ち、スライドレール４の固定側レール４ａが取り付けられる固定側カバープレート４１の垂設片部４３が前面側に露出するように設けられる。この固定側カバープレート４１は図２からわかるように底板部３の前縁全長にわたって取り付けられている。そして、スライドレール４の固定側レール４ａが取り付けられる固定側カバープレート４１の垂設片部４３はスライドレール４の固定側のほぼ全長を覆うようになっている。更に、垂設片部４３の下端から水平に短い水平片部４４が延出されており、スライドレール４の下面をほぼ全長にわたって覆うようになっている。
【００１５】
一方、スライド扉２の下端裏面側にはスライド側カバープレート６１の一方の立上がり部６２が取り付けられ、他方の立上がり部６３がスライドレール４のスライド側レール４ｂに取り付けられており、スライドレール４のスライド側レール４ｂをほぼ全長にわたって覆うようになっている。なお、スライドレール４の上端は底板部３の下面に近接して設置されているので、特に扉閉状態にあっては図３に示すように、スライドレール４はその全周囲が両カバープレート４１、６１および底板部３にて覆われるようになっている。
【００１６】
そして本発明では、スライドレール４は断面長方形で、縦長となるように配されている。このためスライド扉２を開放した場合、収納ボックス本体１はスライドレール４の固定側カバープレート４１が収納ボックス本体１の底板部３の前縁に現れるが、前方からはこの固定側カバープレート４１が見えるのみで扉開時にスライド扉２の開方向の移動とともに引き伸ばされたスライドレール４は固定側カバープレート４１の裏面およびスライド扉２の裏面に隠れて前面側から見えず扉開状態にあっても見栄えが悪くなる事はない。
【００１７】
また、スライド扉２の上端の一方（扉閉側）の角部には上部に突出したガイド突起７が設けてあり、一方、収納ボックス本体１の天板部５には前縁下面にガイド溝６が形成されている。このガイド溝６はほぼ天板部５の一端から他端まで伸びており、ガイド溝６の両端部は前記ガイド突起７がガイド溝６から脱落しないように閉鎖されている。この閉鎖端部を６ａ、６ｂとする。
【００１８】
図５はスライドレール４の扉閉状態を裏面側から見たものであり、図６は図５のスライドレール４部分の拡大図である。図７はスライド扉２の開放状態を裏面側から見たものであり、図８はそのスライドレール４部分の拡大図である。スライドレール４は一般的に使用されているダブルスライダ方式（勿論、これに限られずシングルスライダ方式でも可）のもので簡単に説明すれば、固定側レール４ａ、スライド側レール４ｂ、両レール４ａ、４ｂの間に配設された中間レール４ｃ、これら４ａ〜４ｃ間に配設されたボールベアリング４ｄ１、４ｄ２、前記ボールベアリング４ｄ１、４ｄ２を保持し、中間レール４ｃ及びスライド側レール４ｂのスライドを円滑に行わせるリテーナ４ｅ１、４ｅ２とで構成されている。
【００１９】
図９はスライド扉２全体の斜視図であり、スライド扉２の上縁の一端部にはガイド突起７が設置されているのが見える。ガイド突起７は開方向により左右どちらか一方の端部に設けられる。そしてスライド扉２の一方の端部にはスライド扉２の上框１７から下框１８に至る断面Ｕ状の引き手８が設けられている。この水平断面を示したものが図１０である。
【００２０】
このようにスライド扉２に上下に長い引き手８を設けたのは次の理由による。即ち、本発明の収納ボックスは主にトイレット、洗面所又は玄関或いは廊下等の通路の壁に埋め込まれて使用される事が多く、利用者が立った状態又はしゃがんだ状態で使用されるためにどの位置でも開閉可能にするためである。その埋め込み状況を示したものが図１１であり、変形例が図１２である。図１２では中間の突出した板１３の下方が本発明の収納ボックスであり、上方は開閉扉１４が設けられた通常の収納体１５である。
【００２１】
しかして、引き手８に指をかけてスライド扉２を閉扉状態から開扉する方向に操作すると、スライド扉２の移動に伴ってカバープレート６１に連結されたスライドレール４のスライド側が移動してスライドレール４が伸長しこれと共にスライド扉２の上端では扉閉側のガイド突起７がガイド溝６内を一端から他端に向かって走行する。スライド扉２が全開状態になるとガイド突起７がガイド溝６の扉開側の閉鎖端部６ａに衝当し、スライド扉２の走行は停止する。この扉開状態にあっては前述のように伸長したスライドレール４はカバープレート４１及びスライド扉２の背面に隠れて前面側から見えることがない。また、ガイド突起７がガイド溝６の扉開側の閉鎖端部６ａに衝当し、スライド扉２が停止するが、ガイド溝６は天板部５の他端（扉開側）近傍まで凹設されているので、スライド扉２の端部は収納ボックス本体１の他端（扉開側）の側板１２ｂに重なるが収納空間には重ならないようになっている。
【００２２】
そして前述のようにスライド扉２には上下に長い引き手８が設けられているので、利用者が立った状態又はしゃがんだ状態でもどの位置にでも引き手８に指をかけることができスライド扉２の開操作を簡単に行うことができる。スライド扉２を閉じるときは、逆に開状態のスライド扉２の開側々縁に指をかけスライド扉２を軽く押すだけでスライドレール４が収縮し、且つガイド突起７がガイド溝６内を一端方向（扉閉側）に移動し、一端側（扉閉側）の閉鎖端部６ｂに当接して停止し、扉閉が行われる。
【００２３】
このような収納ボックスにおいて、特に、扉閉状態の場合、底板部３から下面に垂設された固定側カバープレート４１とスライド扉２の裏面下部に取り付けられたスライド側カバープレート６１並びに上方の底板部３によってスライドレール４はその全周囲が略覆われているので、スライドレール４内部に外部からゴミ等が侵入せず、長期間にわたってスライド扉２のスライド性に障害が生じない。また、収納ボックス本体１の下面にカバープレート６１の水平片部６４（＝立ち上がり片６２，６３の間の部分）が水平方向に取り付けられてスライドレール４の下面を覆っているので収納ボックス本体１の下面に空間が生じず清掃等も容易に出来る。
【００２４】
なお、固定側カバープレート４１は上部フランジ４２を底板部３とビス等で固定しても良いが、図３にあるように上部フランジ４２、４２ａを二重にして底板部３を挟持するほうが扉荷重を支持するのに有利である。また、スライドレール４を、その断面の長辺が垂直になるように、いわゆる縦型になるように設置するので壁面に埋め込みする場合、収納ボックス本体１の突出代が小さくなり狭い場所でも利用可能となる。しかもスライドレール４は縦長に配置されているので、スライド扉２に荷重がかかってもスライドレール４自体の強度が水平方向に設置される場合に比べて強度的に強く、スライドレール４の破損もなくなる。
【００２５】
また、収納ボックス本体１のスライドレール４は底板部３の下方に存在し、天板部５の上には位置しないので、収納ボックスの設置高さが決まっている場合、その分、収納部が広く利用出来るものである。なお、固定側カバープレート４１を取り外す事でスライド扉２を容易に取り外すことができるので、スライド扉２に傷がついたり、リフォームなどで壁とのコーデネイトする時にこれを交換する事が容易に出来る。又、両カバープレート４１、６１はその端部がフリーであるので、スライドレール４を逆向きに取り付け、ガイド突起７の位置を反対側に変えることで左右の引き方向が交換可能となる。
【００２６】
【発明の効果】
本件発明は以上の様に構成されているので、特に、（ａ）扉閉状態の場合、底板部から下面に垂設された前後のカバープレートと底板部によってスライドレールの全周囲が略覆われ、スライドレール内部に外部からゴミ等が侵入せず、スライド扉のスライド性に障害が生じない。（ｂ）利用者は立った状態でもしゃがんだ状態でもスライド扉の開操作を簡単に行うことができる。（ｃ）スライドレールを竪型に設置することで壁面に埋め込みする場合に収納ボックス本体の突出代が小さくなり狭い場所でも利用可能となるだけでなくスライドレール自体の強度も高めることが出来る。
【図面の簡単な説明】
【図１】本発明に係る収納ボックスのスライド扉の閉扉状態を示す斜視図である。
【図２】同上装置の開扉状況を示す斜視図である。
【図３】収納ボックスの下部に位置するスライドレールの取付け状況を示す縦断面図である。
【図４】収納ボックス全体を示す縦断面図である。
【図５】扉の裏面の状態を示す全体図である。
【図６】扉下部のスライドレールを示す図５の拡大図である。
【図７】開扉状況を扉の裏面より見た全体図である。
【図８】図７の下部スライドレールを示す拡大図である。
【図９】扉の引き手を示す斜視図である。
【図１０】扉の引き手の水平断面図である。
【図１１】本発明に係る収納ボックスを壁に埋め込んだ状態を示す状態図である。
【図１２】本発明に係る収納ボックスの変形例である。
【図１３】従来例を示す縦断面の概略図である。
【図１４】図１３の正面図である。
【符号の説明】
１  収納ボックス
２  スライド扉
３  底板部
４  スライドレール
４ａ  固定側レール
４ｂ  スライド側レール
５  天板部
６  ガイド溝
７  ガイド突起
８  引き手
４１  固定側カバープレート
６１  スライド側カバープレート
【図１】
2004316351.tif 000003
【図２】
2004316351.tif 000004
【図３】
2004316351.tif 000005
【図４】
2004316351.tif 000006
【図５】
2004316351.tif 000007
【図６】
2004316351.tif 000008
【図７】
2004316351.tif 000009
【図８】
2004316351.tif 000010
【図９】
2004316351.tif 000011
【図１０】
2004316351.tif 000012
【図１１】
2004316351.tif 000013
【図１２】
2004316351.tif 000014
【図１３】
2004316351.tif 000015
【図１４】
2004316351.tif 000016